(57)【要約】【課題】  防犯ブザー機能を備えた携帯電話装置を提供する。【解決手段】  携帯電話装置１本体に加わる振動または衝撃を検知する加速度センサ１８と、ブザー音信号を生成するブザー音生成手段（１６、１８）と、前記ブザー音信号生成手段により生成されたブザー音信号に基づいて発音する発音手段２６と、前記加速度センサの検知出力に基づいて所定レベル以上の振動または衝撃が発生したと判定した場合にブザー音信号生成手段にブザー音を生成させ、前記発音手段を駆動する制御手段２２とを有する。【選択図】    図１
2005347848.tif 000002
【特許請求の範囲】
【請求項１】
防犯ブザー機能を備えた携帯電話装置であって、
携帯電話装置本体に加わる振動または衝撃を検知する加速度センサと、
ブザー音信号を生成するブザー音信号生成手段と、
前記ブザー音信号生成手段により生成されたブザー音信号に基づいて発音する発音手段と、
前記加速度センサの検知出力に基づいて所定レベル以上の振動または衝撃が発生したと判定した場合にブザー音信号生成手段にブザー音信号を生成させ、前記発音手段を駆動する制御手段と、
を有することを特徴とする防犯ブザー機能を備えた携帯電話装置。
【請求項２】
防犯ブザー機能を備えた携帯電話装置であって、
携帯電話装置本体に加わる振動または衝撃を検知する加速度センサと、
自局の位置情報を受信するＧＰＳモジュールと、
ブザー音信号を生成するブザー音信号生成手段と、
前記ブザー音信号生成手段により生成されたブザー音信号に基づいて発音する発音手段と、
前記加速度センサの検知出力に基づいて所定レベル以上の振動または衝撃が発生したと判定した場合にブザー音信号生成手段にブザー音信号を生成させ、前記発音手段を駆動すると共に、前記ＧＰＳモジュールにより得られた位置情報を緊急連絡先に自動発信する制御手段と、
を有することを特徴とする防犯ブザー機能を備えた携帯電話装置。
【請求項３】
防犯ブザー機能を備えた携帯電話装置の制御方法であって、
携帯電話装置本体に所定レベル以上の振動または衝撃が加わった場合にブザー音を発音させることを特徴とする防犯ブザー機能を備えた携帯電話装置の制御方法。
【請求項４】
防犯ブザー機能を備えた携帯電話装置の制御方法であって、
携帯電話装置本体に所定レベル以上の振動または衝撃が加わった場合にブザー音を発音させ、かつＧＰＳモジュールにより受信した自局の位置情報とともに、緊急事態が発生したことを予め決められた緊急連絡先に自動発信することを特徴とする防犯ブザー機能を備えた携帯電話装置の制御方法。
【発明の詳細な説明】
【技術分野】
【０００１】
本発明は、防犯ブザー機能を備えた携帯電話装置及びその制御方法に関する。
【背景技術】
【０００２】
従来、防犯ブザーは単独の製品として存在しており、防犯ブザーに内蔵のスイッチボタンを押すことで、ブザー音が鳴るように構成されている。
また、防犯ブザーを備えた携帯電話機が提案されている（例えば、特許文献１参照）。
【特許文献１】特開２００１−１７７６１１号公報
【発明の開示】
【発明が解決しようとする課題】
【０００３】
しかしながら、従来から存在している防犯ブザーにあっては切迫した緊急時に、防犯ブザーを取り出してスイッチボタンを押して、防犯ブザーを作動させるのが難しいという問題がある。
防犯ブザーを持つのを忘れると、役に立たたず、また、単機能の製品であるため、常日頃持ち歩くのは不便であるという問題がある。
特許文献１に示す携帯電話機においても、ブザーを鳴動させるために、暗証番号を入力する操作が必要となるため、切迫した状態では使用が難しいという問題があった。
【０００４】
本発明は、このような事情に鑑みてなされたものであり、防犯ブザー機能を備えた携帯電話装置及びその制御方法を提供することを目的とする。
【課題を解決するための手段】
【０００５】
上記目的を達成するために請求項１に記載の発明は、防犯ブザー機能を備えた携帯電話装置であって、携帯電話装置本体に加わる振動または衝撃を検知する加速度センサと、ブザー音信号を生成するブザー音生成手段と、前記ブザー音信号生成手段により生成されたブザー音信号に基づいて発音する発音手段と、前記加速度センサの検知出力に基づいて所定レベル以上の振動または衝撃が発生したと判定した場合にブザー音信号生成手段にブザー音を生成させ、前記発音手段を駆動する制御手段とを有することを特徴とする。
【０００６】
また、請求項２に記載の発明は、防犯ブザー機能を備えた携帯電話装置であって、携帯電話装置本体に加わる振動または衝撃を検知する加速度センサと、自局の位置情報を受信するＧＰＳモジュールと、ブザー音信号を生成するブザー音信号生成手段と、前記ブザー音信号生成手段により生成されたブザー音信号に基づいて発音する発音手段と、前記加速度センサの検知出力に基づいて所定レベル以上の振動または衝撃が発生したと判定した場合にブザー音信号生成手段にブザー音を生成させ、前記発音手段を駆動すると共に、前記ＧＰＳモジュールにより得られた位置情報を緊急連絡先に自動発信する制御手段とを有することを特徴とする。
【０００７】
また、請求項３に記載の発明は、防犯ブザー機能を備えた携帯電話装置の制御方法であって、携帯電話装置本体に所定レベル以上の振動または衝撃が加わった場合にブザー音を発音させることを特徴とする。
【０００８】
また、請求項４に記載の発明は、防犯ブザー機能を備えた携帯電話装置の制御方法であって、携帯電話装置本体に所定レベル以上の振動または衝撃が加わった場合にブザー音を発音させ、かつＧＰＳモジュールにより受信した自局の位置情報とともに、緊急事態が発生したことを予め決められた緊急連絡先に自動発信することを特徴とする。
【発明の効果】
【０００９】
以上説明したように、本発明によれば、防犯ブザー機能を備えた携帯電話装置において、携帯電話装置本体に所定レベル以上の振動または衝撃が加わった場合にブザー音を発音させるようにしたので、切迫した緊急時に携帯電話装置を放り投げる等、により携帯電話装置に衝撃、振動を与えることにより、自動的に防犯ブザーを鳴らすことでき、特に操作をすることなく防犯ブザー機能を実現することができる。
【００１０】
また、本発明によれば、携帯電話装置本体に所定レベル以上の振動または衝撃が加わった場合にブザー音を発音させ、かつＧＰＳモジュールにより受信した自局の位置情報とともに、緊急事態が発生したことを予め決められた緊急連絡先に自動発信するようにしたので、特に操作をすることなく防犯ブザー機能を実現することができると共に、通常、常に携帯して使用する携帯電話装置に防犯ブザー機能を設けることにより、防犯ブザーを常時、持ち歩く必要がなくなり、利便性の向上が図れる。
【発明を実施するための最良の形態】
【００１１】
以下、本発明の実施形態を、図面を参照して詳細に説明する。本発明の第１実施形態に係る携帯電話装置の構成を図１に示す。本発明の実施形態に係る携帯電話装置は、防犯ブザー機能を備えた携帯電話装置であり、携帯電話装置本体に所定レベル以上の振動または衝撃が加わった場合にブザー音を発音させることを特徴としている。
【００１２】
図１において、携帯電話装置１は、携帯電話機能部１０と、ＲＡＭ１２と、ＲＯＭ１４と、防犯ブザー音データＲＯＭ１６と、２軸加速度センサ１８と、カウンタ２０と、制御回路２２と、音源モジュール２４と、スピーカ２６とを有している。
携帯電話機能部１０は、携帯電話通信モジュール１００と、操作入力部１０１と、表示部１０２とを有している。
【００１３】
携帯電話通信モジュール１００は、電話機能、データ通信機能、ゲーム機能等の各種機能を実現するためのアンテナ、無線通信部、音声ＣＯＤＥＣ、マイク、スピーカ等から構成されている。
【００１４】
操作入力部１０１は、通話を開始する際に使用する開始キー、通話を終了する際に使用する終了キー、数字キー、各種機能を設定するための機能キー、電源キー等から構成されている。所定のキーを操作することにより、一定以上の振動または衝撃が携帯電話装置１本体に加わった場合に、防犯ブザー音が鳴るように動作する防犯ブザー機能が設定されるようになっている。
表示部１０２は、各種データを表示する、例えば、液晶ディスプレイ（ＬＣＤ）である。
【００１５】
ＲＯＭ１４には、各種制御プログラム及び固定データが格納されている。
防犯ブザー音データＲＯＭ１６には、防犯ブザー音を生成するための防犯ブザー音データが格納されている。
２軸加速度センサ１８は、Ｘ，Ｙ２軸方向の加速度を検出する。この２軸加速度センサ１８は検知した加速度に応じた数のパルスを出力するようになっており、制御回路２２より出力される制御信号によりＸ軸方向の加速度、またはＹ軸方向の加速度に応じた数のパルスが出力されるように切り替えられるようになっている。２軸加速度センサ１８は、本発明の加速度センサに相当する。
【００１６】
カウンタ２０は、２軸加速度センサ２０から出力されるパルス数を計数する機能を有している。図２に２軸加速度センサにより検知される加速度とカウンタ２０のカウント値との関係を示す。カウンタ２０のカウント値Ｘ，Ｙは、カウント値ＸがＸ軸方向の加速度に対応するカウント値であり、カウント値ＹがＹ軸方向の加速度に対応するカウント値である。
【００１７】
音源モジュール２４は、音源システムと、オーディオアンプからなり、音源システムは、防犯ブザー音データＲＯＭ１６から読み出された防犯ブザー音データに基づいて防犯ブザー音信号を生成する。また、音源モジュール２４は、着信が有った場合には、予め設定された着信メロディを発生する。
スピーカ２６は、音源モジュール２４より出力される防犯ブザー音信号に基づいて発音する。スピーカ２６は、本発明の発音手段に相当する。
防犯ブザー音データＲＯＭ１６及び音源モジュール２４は、本発明のブザー音信号生成手段に相当する。
【００１８】
制御回路２２はＲＯＭ１４に格納された制御プログラムを実行することにより各部を制御する。
また、制御回路２２は、カウンタ２０を介して入力される２軸加速度センサ２０の出力に基づいて携帯電話装置１本体に所定レベル以上の振動または衝撃が発生した場合に、防犯ブザー音データＲＯＭ１６から防犯ブザー音データを読み出し、該防犯ブザー音データを音源モジュール２４に出力し、音源モジュール２４を駆動し、音源モジュール２４から防犯ブザー音を出力させる機能を有している。
【００１９】
ここで、「所定レベル以上の振動または衝撃」とは、本実施形態では、例えば、携帯電話装置１本体にすくなくとも、０．５ｇ（このとき、カウンタ２０のカウント値（Ｘ，Ｙの値）は５以上となる。）の振動または衝撃が加わったことを意味しているものとする。
すなわち、制御回路２２は、カウンタ２０のカウント値Ｘ，Ｙのいずれかが５以上のとき、すなわち、携帯電話装置１本体にＸ軸方向またはＹ軸方向のいずれかの方向に０．５ｇ（ｇは重力加速度）以上の振動または衝撃が加わった場合には、携帯電話装置１に人為的振動、衝撃が加わったと判定し、防犯ブザー音を発生させるように、各部を制御する。
【００２０】
本発明に係る携帯電話装置の使用方法としては、
（１）通常は携帯電話機として携行し、緊急事態が発生した場合には、携帯電話装置を放り投げることにより、衝撃が検知され、防犯ブザー音を鳴らすようにする、
（２）外出時や夜間に、玄関ドアの内側に本発明に係る携帯電話装置を吊るしておき、侵入者が玄関ドアを開けた場合に、その振動が検知され、防犯ブザー音を鳴らすようにする、等が考えられる。
【００２１】
また、携帯電話装置１に加わるランダム振動による誤動作で防犯ブザー音が発生しないように、制御回路２２は、カウンタ２０のカウント値Ｘ，Ｙのいずれもが５未満の場合には、人為的でないランダム振動と判定するようになっている。
携帯電話装置に人為的振動、衝撃が加わったか否かの判定規準となる上記カウント値は、携帯電話装置１の外形寸法や重さに応じて適宜、設定されるものとする。
【００２２】
上記構成からなる携帯電話装置１の動作を図３に示すフローチャートを参照して説明する。この動作は制御回路２２がＲＯＭ１４に格納されている制御プログラムを実行することにより行なわれる。
図３において、操作入力部１０１における電源キーを操作して電源をＯＮ状態にし、次いで所定のキーを操作することにより防犯ブザー機能が設定される（ステップ２００）。
２軸加速度センサ１８、カウンタ２０、制御回路２２が動作を開始する（ステップ２０１）。
【００２３】
次いで、制御回路２２よりバス３０を介して２軸加速度センサ１８にＸ軸方向の加速度データを読み出すための制御信号が出力され、この結果、２軸加速度センサ１８から携帯電話装置１に加わるＸ軸方向の加速度データ、すなわち、図２に示す加速度に応じた数のパルスがカウンタ２０に出力され、カウンタ２０ではこのパルス数を計数する（ステップ２０２）。
制御回路２２は、カウンタ２０のカウント値Ｘを読み込み、ＲＡＭ１２の所定のメモリエリアに格納する（ステップ２０３）。
【００２４】
次いで、制御回路２２よりバス３０を介して２軸加速度センサ１８にＹ軸方向の加速度データを読み出すための制御信号が出力され、この結果、２軸加速度センサ１８から携帯電話装置１に加わるＹ軸方向の加速度データ、すなわち、図２に示す加速度に応じた数のパルスがカウンタ２０に出力され、カウンタ２０ではこのパルス数を計数する（ステップ２０４）。
制御回路２２は、カウンタ２０のカウント値Ｙを読み込み、ＲＡＭ１２の所定のメモリエリアに格納する（ステップ２０５）。
【００２５】
次いで、カウンタ２０のカウント値Ｘ，Ｙのいずれか一方が５以上か、すなわち、Ｘ軸方向またはＹ軸方向のいずれかの加速度が０．５ｇ以上か否かを判定する（ステップ２０６）。ステップ２０６でカウンタ２０のカウント値Ｘ，Ｙのいずれもが５以下である場合には、人為的ではないランダム振動が携帯電話装置１本体に加わったものと判定し、ステップ２０２に戻り、２軸加速度センサ１８の出力のモニタリングを継続する（ステップ２０２〜２０６）。
【００２６】
ステップ２０６でカウンタ２０のカウント値Ｘ，Ｙのいずれか一方が５以上であると判定した場合には、０．５ｇ以上の振動または衝撃が携帯電話装置１に加わったものと判断し(ステップ２０７)、防犯ブザー音データＲＯＭ１６より防犯ブザー音データを読み出し、音源モジュール２４に送出する。音源モジュール２４では、防犯ブザー音データに基づいて防犯ブザー音信号が生成され、スピーカ２６に出力される。この結果、防犯ブザー音がスピーカ２６より発音される（ステップ２０８）。
【００２７】
次に、本発明の第２実施形態に係る携帯電話装置の構成を図４に示す。
図４に示す本発明の第２実施形態に係る携帯電話装置が第１実施形態に係る携帯電話装置（図１）と構成上、異なるのは、ＧＰＳモジュール２８が付加され定る点であり、その他の構成は制御回路２２の制御機能を除いては、同一であるので、重複する説明は省略する。
【００２８】
本発明の実施形態に係る携帯電話装置は、防犯ブザー機能を備えた携帯電話装置であって、携帯電話装置本体に所定レベル以上の振動または衝撃が加わった場合にブザー音を発音させ、かつＧＰＳモジュールにより受信した自局の位置情報とともに、緊急事態が発生した旨のメッセージを予め決められた緊急連絡先に自動発信することを特徴としている。
【００２９】
図４において、本発明の第２実施形態に係る携帯電話装置は、携帯電話機能部１０と、ＲＡＭ１２と、ＲＯＭ１４と、防犯ブザー音データＲＯＭ１６と、２軸加速度センサ１８と、カウンタ２０と、制御回路２２と、音源モジュール２４と、スピーカ２６と、ＧＰＳモジュール２８とを有している。
携帯電話機能部１０は、携帯電話通信モジュール１００と、操作入力部１０１と、表示部１０２とを有している。
ＲＯＭ１４には、警察署または消防署等の緊急連絡先のＵＲＬや、緊急事態が発生したことを示すメッセージが登録されている。
【００３０】
ＧＰＳモジュール２８は、所定時間毎に、複数（３個以上）のＧＰＳ衛星からの位置測定用の電波を受信し、その生データをＧＰＳ基地局に送信し、ＧＰＳ基地局から測位演算結果を受信してＲＡＭ１２の所定のメモリエリアに格納し、更新する機能を有している。
【００３１】
上記構成からなる携帯電話装置の動作を図５に示すフローチャートを参照して説明する。図５のフローチャートは、図３のフローチャートにステップ２０９、２１０が加わったのみであり、その他の処理は同様であるので、一部の処理を除き、重複する処理内容については、省略してある。
【００３２】
図５において、カウンタ２０のカウント値Ｘ，Ｙのいずれか一方が５以上か否か、すなわちＸ軸方向またはＹ軸方向のいずれかの加速度が０．５ｇ以上か否かを判定する（ステップ２０６）。ステップ２０６でカウンタ２０のカウント値Ｘ，Ｙのいずれもが５以下である場合には、人為的ではないランダム振動が携帯電話装置１本体に加わったものと判定し、既述したように２軸加速度センサ１８の出力のモニタリングを継続する。
【００３３】
ステップ２０６でカウンタ２０のカウント値Ｘ，Ｙのいずれか一方が５以上であると判定した場合には、０．５ｇ以上の振動または衝撃が携帯電話装置１に加わったものと判断し(ステップ２０７)、防犯ブザー音をスピーカ２６から発生させる（ステップ２０８）。
【００３４】
次いで、ＲＡＭ１２に格納されているＧＰＳモジュール２８から得られた自局の位置情報を読み出し（ステップ２０９）、ＲＯＭ１４より警察署、あるいは消防署等の緊急連絡先のＵＲＬ及び緊急状態が発生した旨のメッセージをＲＯＭ１４より読み出し（ステップ２１０）、上記メッセージ及び自局の位置情報を上記ＵＲＬ宛てに携帯電話通信モジュール１００により自動発信する（ステップ２１１）。
この結果、携帯電話装置１のユーザの位置情報と、緊急事態が発生したことが警察署等の緊急連絡先に通報されることとなる。
【図面の簡単な説明】
【００３５】
【図１】本発明の第１実施形態に係る携帯電話装置の構成を示すブロック図である。
【図２】図１における２軸加速度センサの出力とカウンタのカウント値との関係を示す図である。
【図３】図１に示す本発明の第１実施形態に係る携帯電話装置の動作を示すフローチャートである。
【図４】本発明の第２実施形態に係る携帯電話装置の構成を示すブロック図である。
【図５】図４に示す本発明の第２実施形態に係る携帯電話装置の動作を示すフローチャートである。
【符号の説明】
【００３６】
１…携帯電話装置、  １０…携帯電話機能部、１２…ＲＡＭ、１４…ＲＯＭ、１６…防犯ブザー音データＲＯＭ、１８…２軸加速度センサ、２０…カウンタ、２２…制御回路、２４…音源モジュール、２６…スピーカ、２８…ＧＰＳモジュール、１００…携帯電話通信モジュール、１０１…操作入力部、１０２…表示部
【図１】
2005347848.tif 000003
【図２】
2005347848.tif 000004
【図３】
2005347848.tif 000005
【図４】
2005347848.tif 000006
【図５】
2005347848.tif 000007